(57)【要約】【課題】汚染土壌をキレート剤を用いて浄化する土壌浄化施設において、キレート剤の保有量及び使用量を低減するとともに、キレート剤回収のための設備の敷地面積を低減することを可能にする手段を提供する。【解決手段】土壌浄化システムは、汚染土壌を礫と砂と土とに分級する土壌分級部と、分離された砂及び礫をキレート洗浄液で浄化する砂・礫浄化部２とを有する。砂・礫浄化部２は、砂洗浄部１４と、礫洗浄部１５と、キレート剤再生部１６と、砂すすぎ部１７と、礫すすぎ部１８と、キレート剤回収部１９とを有する。砂洗浄部１４及び礫洗浄部１５は、それぞれ、砂及び礫をキレート洗浄液で洗浄する。キレート剤再生部１６は、キレート洗浄液を再生して砂洗浄部１４及び礫洗浄部１５に返送する。キレート剤回収部１９は、砂すすぎ部１７及び礫すすぎ部１８から排出された洗浄廃水からキレート剤を回収する。【選択図】図３
2018176152.tif 000002
【特許請求の範囲】
【請求項１】
礫と砂と土とを含み有害金属又はその化合物で汚染された土壌を浄化する土壌浄化システムであって、
該土壌浄化システムは、前記土壌を礫と砂と土とに分級する土壌分級部と、前記土壌分級部で分離された砂と礫とを、キレート剤と水とを含むキレート洗浄液で洗浄して浄化する砂・礫浄化部とを備えていて、
前記土壌分級部は、
該土壌分級部に投入された土壌と洗浄水とを混合する混合装置と、
前記混合装置から排出された土壌と洗浄水の混合物から礫を分離するトロンメルと、
前記トロンメルから排出された砂と土と洗浄水の混合物から砂を分離する液体サイクロンと、
前記液体サイクロンから排出された土と洗浄水の混合物を、沈降分離により、上澄水と、土を含むスラッジとに分離するシックナと、
前記シックナから排出されたスラッジを濾過して土を分離するフィルタプレスとを有し、
前記砂・礫浄化部は、
前記液体サイクロンから排出された砂をキレート洗浄液で洗浄し、該砂から有害金属又はその化合物を除去する砂洗浄部と、
前記トロンメルから排出された礫をキレート洗浄液で洗浄し、該礫から有害金属又はその化合物を除去する礫洗浄部と、
前記砂洗浄部及び前記礫洗浄部から排出されたキレート洗浄液中のキレート剤から有害金属又はその化合物を除去してキレート剤を再生し、前記砂洗浄部及び前記礫洗浄部に返送するキレート剤再生部と、
前記砂洗浄部から排出された砂をすすぎ水で洗浄してキレート剤を除去する砂すすぎ部と、
前記礫洗浄部から排出された礫をすすぎ水で洗浄してキレート剤を除去する礫すすぎ部と、
前記砂すすぎ部及び前記礫すすぎ部から排出されたキレート剤を含む洗浄廃水からキレート剤を回収するキレート剤回収部とを有し、
前記砂洗浄部は、
前記液体サイクロンから排出された砂とキレート洗浄液とを混合して攪拌し、砂に付着又は結合している有害金属又はその化合物をキレート剤に捕捉させる流通式の混合撹拌器と、
前記混合撹拌器から排出された砂とキレート洗浄液の混合物からキレート洗浄液を除去する振動篩と、
それぞれ複数のローラに巻き掛けられて周回走行する多孔性の無端ベルトを備えた互いに対向する上側ベルト機構及び下側ベルト機構を有し、前記振動篩から排出されたキレート洗浄液で湿潤した砂を受け入れて、前記上側ベルト機構と前記下側ベルト機構の間に挟んで搬送するベルトプレス装置とを有し、
前記下側ベルト機構と対向する部位において前記上側ベルト機構に、該上側ベルト機構の無端ベルトの内表面に加圧空気を供給し、該加圧空気を、前記上側ベルト機構の無端ベルトと、前記上側ベルト機構と前記下側ベルト機構の間に挟まれた砂の層と、前記下側ベルト機構の無端ベルトとを経由して下向きに流通させて砂のキレート洗浄液含有比を低下させる加圧空気供給装置が設けられ、
前記礫洗浄部は、キレート洗浄液を保持するキレート洗浄液槽と、礫を収容している礫容器を前記キレート洗浄液槽内のキレート洗浄液中に浸漬させた状態で水平方向に移動させる礫搬送装置とを有していて、前記礫容器の底部及び側部は、礫を通過させない寸法の目を有する篩網で形成され、
前記キレート剤再生部は、前記砂洗浄部及び前記礫洗浄部から排出されたキレート洗浄液を、キレート剤よりも錯生成力が高くキレート洗浄液と接触したときに該キレート洗浄液中の有害金属又はその化合物を吸着する固相吸着材を有し、キレート洗浄液中のキレート剤から有害金属又はその化合物を除去してキレート洗浄液を再生するキレート洗浄液再生装置を有し、
前記砂すすぎ部は、前記砂洗浄部から排出された砂にすすぎ水を散布又は噴射して、該砂に保持されているキレート剤を除去する砂すすぎ装置を有し、
前記礫すすぎ部は、前記礫洗浄部から排出された礫にすすぎ水を散布又は噴射して、該礫に保持されているキレート剤を除去する礫すすぎ装置を有し、
前記キレート剤回収部は、
前記砂すすぎ部及び前記礫すすぎ部から排出されたキレート剤を含む洗浄廃水を受け入れて貯留する洗浄廃水貯槽と、
地面に配設され、周壁と、前記周壁の下端部に結合された底壁と、前記周壁と前記底壁とによって形成された空間部に配置され洗浄廃水は通過させるが砂は通過させない多孔板とを有し、その内部空間において前記多孔板の上に水蒸発用砂を収容する、上側が開かれた容器状の砂収容部と、
前記砂収容部の上方に配設され、前記砂収容部への雨水の降下を阻止する屋根と、
前記砂収容部の周壁の外面に隣接して配設され、その内部空間が、前記多孔板より下側において前記周壁に形成された連通孔を介して、前記砂収容部の内部空間と連通する側溝と、
前記洗浄廃水貯槽に貯留されている洗浄廃水を、前記側溝に供給する洗浄廃水供給装置と、
前記側溝内の洗浄廃水を前記洗浄廃水貯槽に還流させる洗浄廃水還流路と、
前記側溝内の洗浄廃水の水位を、予め設定された砂浸漬上端位置に保持する水位保持装置とを有し、
前記砂浸漬上端位置は、該砂浸漬上端位置と前記砂収容部の内部空間に収容されている水蒸発用砂の上面の位置との間に位置する水蒸発用砂が毛管水帯を形成するように設定され、
該土壌浄化システムは、さらに
前記砂収容部に収容されている水蒸発用砂に前記側溝から洗浄廃水が所定期間にわたって供給され、水蒸発用砂に供給された洗浄廃水の水分が空気中に蒸発して該水蒸発用砂にキレート剤が蓄積されたときに、前記砂収容部内のキレート剤が蓄積された水蒸発用砂を前記砂洗浄部に移送する水蒸発用砂移送手段と、
前記砂すすぎ部から排出された砂の一部を、水蒸発用砂として前記砂収容部に供給する水蒸発用砂供給手段とを備えていることを特徴とする土壌浄化システム。
【請求項２】
礫と砂と土とを含み有害金属又はその化合物で汚染された土壌を浄化する土壌浄化施設における土壌浄化方法であって、
前記土壌浄化施設は、前記土壌を礫と砂と土とに分級する土壌分級部と、前記土壌分級部で分離された砂と礫とを、キレート剤と水とを含むキレート洗浄液で洗浄して浄化する砂・礫浄化部とを有し、
前記土壌分級部は、
該土壌分級部に投入された土壌と洗浄水とを混合する混合装置と、
前記混合装置から排出された土壌と洗浄水の混合物から礫を分離するトロンメルと、
前記トロンメルから排出された砂と土と洗浄水の混合物から砂を分離する液体サイクロンと、
前記液体サイクロンから排出された土と洗浄水の混合物を、沈降分離により、上澄水と、土を含むスラッジとに分離するシックナと、
前記シックナから排出されたスラッジを濾過して土を分離するフィルタプレスとを有し、
前記砂・礫浄化部は、
前記液体サイクロンから排出された砂をキレート洗浄液で洗浄し、該砂から有害金属又はその化合物を除去する砂洗浄部と、
前記トロンメルから排出された礫をキレート洗浄液で洗浄し、該礫から有害金属又はその化合物を除去する礫洗浄部と、
前記砂洗浄部及び前記礫洗浄部から排出されたキレート洗浄液中のキレート剤から有害金属又はその化合物を除去してキレート剤を再生し、前記砂洗浄部及び前記礫洗浄部に返送するキレート剤再生部と、
前記砂洗浄部から排出された砂をすすぎ水で洗浄してキレート剤を除去する砂すすぎ部と、
前記礫洗浄部から排出された礫をすすぎ水で洗浄してキレート剤を除去する礫すすぎ部と、
前記砂すすぎ部及び前記礫すすぎ部から排出されたキレート剤を含む洗浄廃水からキレート剤を回収するキレート剤回収部とを有し、
前記砂洗浄部は、
前記液体サイクロンから排出された砂とキレート洗浄液とを混合して攪拌し、砂に付着又は結合している有害金属又はその化合物をキレート剤に捕捉させる流通式の混合撹拌器と、
前記混合撹拌器から排出された砂とキレート洗浄液の混合物からキレート洗浄液を除去する振動篩と、
それぞれ複数のローラに巻き掛けられて周回走行する多孔性の無端ベルトを備えた互いに対向する上側ベルト機構及び下側ベルト機構を有し、前記振動篩から排出されたキレート洗浄液で湿潤した砂を受け入れて、前記上側ベルト機構と前記下側ベルト機構の間に挟んで搬送するベルトプレス装置とを有し、
前記下側ベルト機構と対向する部位において前記上側ベルト機構に、該上側ベルト機構の無端ベルトの内表面に加圧空気を供給し、該加圧空気を、前記上側ベルト機構の無端ベルトと、前記上側ベルト機構と前記下側ベルト機構の間に挟まれた砂の層と、前記下側ベルト機構の無端ベルトとを経由して下向きに流通させて砂のキレート洗浄液含有比を低下させる加圧空気供給装置が設けられ、
前記礫洗浄部は、キレート洗浄液を保持するキレート洗浄液槽と、礫を収容している礫容器を前記キレート洗浄液槽内のキレート洗浄液中に浸漬させた状態で水平方向に移動させる礫搬送装置とを有していて、前記礫容器の底部及び側部は、礫を通過させない寸法の目を有する篩網で形成され、
前記キレート剤再生部は、前記砂洗浄部及び前記礫洗浄部から排出されたキレート洗浄液を、キレート剤よりも錯生成力が高くキレート洗浄液と接触したときに該キレート洗浄液中の有害金属又はその化合物を吸着する固相吸着材を有し、キレート洗浄液中のキレート剤から有害金属又はその化合物を除去してキレート洗浄液を再生するキレート洗浄液再生装置を有し、
前記砂すすぎ部は、前記砂洗浄部から排出された砂にすすぎ水を散布又は噴射して、砂に保持されているキレート剤を除去する砂すすぎ装置を有し、
前記礫すすぎ部は、前記礫洗浄部から排出された礫にすすぎ水を散布又は噴射して、該礫に保持されているキレート剤を除去する礫すすぎ装置を有し、
前記キレート剤回収部は、
前記砂すすぎ部及び前記礫すすぎ部から排出されたキレート剤を含む洗浄廃水を受け入れて貯留する洗浄廃水貯槽と、
地面に配設され、周壁と、前記周壁の下端部に結合された底壁と、前記周壁と前記底壁とによって形成された空間部に配置され洗浄廃水は通過させるが砂は通過させない多孔板とを有し、その内部空間において前記多孔板の上に水蒸発用砂を収容する、上側が開かれた容器状の砂収容部と、
前記砂収容部の上方に配設され、前記砂収容部への雨水の降下を阻止する屋根と、
前記砂収容部の周壁の外面に隣接して配設され、その内部空間が、前記多孔板より下側において前記周壁に形成された連通孔を介して、前記砂収容部の内部空間と連通する側溝と、
前記洗浄廃水貯槽に貯留されている洗浄廃水を、前記側溝に供給する洗浄廃水供給装置と、
前記側溝内の洗浄廃水を前記洗浄廃水貯槽に還流させる洗浄廃水還流路と、
前記側溝内の洗浄廃水の水位を、予め設定された砂浸漬上端位置に保持する水位保持装置とを有し、
前記砂浸漬上端位置は、該砂浸漬上端位置と前記砂収容部の内部空間に収容されている水蒸発用砂の上面の位置との間に位置する水蒸発用砂が毛管水帯を形成するように設定され、
該土壌浄化方法は、
前記水位保持装置により、前記側溝の洗浄廃水の水位を前記砂浸漬上端位置に保持して、該砂浸漬上端位置より上側の砂層に毛管水帯を形成し、該毛管水帯内の水蒸発用砂に付着している洗浄廃水の水分を空気中に蒸発させて前記砂収容部から除去し、
前記砂収容部で所定の期間用いられてキレート剤が蓄積された水蒸発用砂を前記砂洗浄部に導入して、前記水蒸発用砂に蓄積されたキレート剤を回収し、
前記砂すすぎ部から排出された砂の一部を、前記砂収容部に収容する水蒸発用砂として用いることを特徴とする土壌浄化方法。
【請求項３】
前記砂すすぎ部から排出された砂から細砂を分離し、該細砂を前記砂収容部に収容する水蒸発用砂として用いることを特徴とする、請求項２に記載の土壌浄化方法。
【発明の詳細な説明】
【技術分野】
【０００１】  本発明は、有害金属又はその化合物で汚染された土壌を土壌分級部で礫と砂と土とに分級し、土壌分級部で分離された砂及び礫を、キレート剤と水とを含むキレート洗浄液を用いて浄化する土壌浄化システム及び土壌浄化方法に関するものである。
【背景技術】
【０００２】  近年、例えばクロム、鉛、カドミウム、セレン、水銀などの有害金属及び／又はその化合物（以下、これらを「有害金属等」と総称する。）を原料又は材料として用いる生産施設の敷地又はその近隣地における土壌汚染、あるいは有害金属等を含む産業廃棄物の投棄等による土壌汚染が問題となっている。そして、有害金属等で汚染された土壌（以下「有害金属汚染土壌」という。）を、該有害金属汚染土壌が現に存在する位置（以下「原位置」という。）で、例えば有害金属等の不溶化、封じ込め又は電気修復などにより効果的に浄化することはかなり困難である。このため、有害金属汚染土壌は、一般に、掘削等により原位置から除去され、外部の土壌浄化施設で浄化される。【０００３】  このような原位置外の土壌浄化施設で有害金属汚染土壌を浄化する手法としては、従来、有害金属汚染土壌を洗浄液で洗浄して有害金属等を除去するようにした土壌浄化手法が広く用いられている。かくして、本願発明者は、有害金属等で汚染された土壌を、洗浄液としてキレート剤と水とを含むキレート洗浄液を循環使用して、礫と砂と土とに湿式分級しつつ土壌に付着又は結合している有害金属等を除去するようにした、洗浄液を外部には排出しないクローズドシステム型の土壌浄化施設ないしは土壌浄化方法を種々提案している（特許文献１〜１４参照）。
【先行技術文献】
【特許文献】
【０００４】
【特許文献１】特許第５７７１３４２号公報
【特許文献２】特許第５７７１３４３号公報
【特許文献３】特許第６０２２１０２号公報
【特許文献４】特許第６０２２１０３号公報
【特許文献５】特許第６０２２１０４号公報
【特許文献６】特許第６０２６７００号公報
【特許文献７】特許第６０２６７０１号公報
【特許文献８】特許第６０２６７０２号公報
【特許文献９】特許第６０５２９４２号公報
【特許文献１０】特許第６０５２９４３号公報
【特許文献１１】特許第６０５２９４４号公報
【特許文献１２】特許第６０５２９４５号公報
【特許文献１３】特許第６０５２９４６号公報
【特許文献１４】特許第６０５２９４７号公報
【非特許文献】
【０００５】
【非特許文献１】東京理科大学地盤工学研究室、土質力学Ｉ・ＩＩ講義資料、第２章「不飽和土の諸性質」１〜１８頁  ｈｔｔｐ：／／ｗｗｗ．ｒｓ．ｎｏｄａ．ｔｕｓ．ａｃ．ｊｐ／ｓｏｉｌ／ｌｅｃｔｕｒｅ／ＳｏｉｌＭｅｃｈａｎｉｃｓ／０２＿Ｕｎｓａｔｕｒａｔｅｄ／Ｈ２３ｕｎｓａｔｕｒａｔｅｄ．ｐｄｆ
【非特許文献２】開発一郎著「毛管水帯中の水分挙動と地下水流出に関する実験」筑波大学推理実験センター報告、Ｎｏ．１１、１９８７年、７９〜８３頁
【非特許文献３】清沢秀樹著「地温変化にもとづく土壌面蒸発量の推定法について」三重大学紀要論文、三重大学農学部学術報告、１９８４年、６８巻、２５〜４０頁
【発明の概要】
【発明が解決しようとする課題】
【０００６】  ところで、特許文献１〜１４に開示された土壌浄化施設では、ミルブレーカ、トロンメル、サイクロン、シックナ、洗浄液貯槽等を備えた一連の流通系統内を循環する洗浄液が所定濃度（例えば、０．３〜１．０質量％）のキレート剤を含んでいる。他方、土壌浄化装置の一連の流通系統は、大量の洗浄液（例えば、１０００〜２０００トン）を保留しているので、このような洗浄液の調製に大量のキレート剤を必要とし、土壌の処理コストが上昇するといった問題がある。さらには、何らかの事情で、一連の流通系統内の洗浄液を廃棄又は交換する必要が生じた場合、洗浄液に含まれている大量のキレート剤を処理しなければならないといった問題がある。【０００７】  また、土壌処理施設で分離された砂及び礫は、通常、土木・建築材料として再利用されるが、このようにキレート剤を含む洗浄液が付着している砂又は礫は、土木・建築材料としては好ましくない。また、土壌浄化施設内のキレート剤は、砂及び礫によって持ち去られる分だけ減少してゆくので、キレート剤を再生して繰り返し使用しても、砂及び礫によって持ち去られるキレート剤に相応する量のキレート剤を補充する必要がある。このため、大量の汚染土壌（例えば、１０００トン／日）を浄化する土壌浄化施設では、大量のキレート剤を補充し続けなければならず、土壌浄化施設における土壌の処理コストが非常に高くつくといった問題がある。【０００８】  そこで、本願出願人に係る特許文献３、６、９、１２に記載された土壌浄化施設では、液体サイクロンから排出されたキレート剤を含む砂及びトロンメルから排出されたキレート剤を含む礫を、すすぎ水で洗浄してキレート剤を除去するようにしている。一方、キレート剤を含む洗浄廃水を、砂収容部内の蒸発用砂により大気中に蒸発させてキレート剤を蒸発用砂に残留・蓄積させ（いわゆる塩田方式）、キレート剤を含む蒸発用砂を土壌処理系統に導入してキレート剤を回収するようにしている。しかし、キレート剤を含む砂及び礫を洗浄するのに大量のすすぎ水を必要とするので、大量の洗浄廃水を蒸発させるための砂収容部の設置に広大な敷地を必要とするといった問題がある。【０００９】  本発明は、上記従来の問題を解決するためになされたものであって、有害金属等で汚染された土壌をキレート剤を用いて浄化するとともに、該土壌から砂及び礫を分離して再利用するようにしたクローズドシステム型の土壌浄化施設において、土壌浄化施設のキレート剤の保留量ないしは流通量を低減することができ、砂及び礫によってキレート剤が土壌浄化施設外に持ち去られるのを防止又は低減することができ、キレート剤の回収のための設備の敷地面積を低減することを可能にする手段を提供することを解決すべき課題とする。
【課題を解決するための手段】
【００１０】  前記課題を解決するためになされた本発明に係る、礫と砂と土とを含み有害金属等（すなわち有害金属及び／又はその化合物）で汚染された土壌を浄化する土壌浄化システムは、土壌を礫と砂と土とに分級する土壌分級部と、土壌分級部で分離された砂と礫とを、キレート剤と水とを含むキレート洗浄液で洗浄して浄化する砂・礫浄化部とを備えている。【００１１】  この土壌処理システムにおいて、土壌分級部は、混合装置と、トロンメルと、液体サイクロンと、シックナと、フィルタプレスとを有する。ここで、混合装置は、土壌分級部に投入された土壌と洗浄水とを混合する。トロンメルは、混合装置から排出された土壌と洗浄水の混合物から礫を分離する。液体サイクロンは、トロンメルから排出された砂と土と洗浄水の混合物から砂を分離する。シックナは、液体サイクロンから排出された土と洗浄水の混合物を、沈降分離により、上澄水と、土を含むスラッジとに分離する。フィルタプレスは、シックナから排出されたスラッジを濾過して土を分離する。【００１２】  砂・礫浄化部は、砂洗浄部と、礫洗浄部と、キレート剤再生部と、砂すすぎ部と、礫すすぎ部と、キレート剤回収部とを有する。ここで、砂洗浄部は、液体サイクロンから排出された砂をキレート洗浄液で洗浄し、該砂から有害金属等を除去する。礫洗浄部は、トロンメルから排出された礫をキレート洗浄液で洗浄し、該礫から有害金属又はその化合物を除去する。キレート剤再生部は、砂洗浄部及び礫洗浄部から排出されたキレート洗浄液中のキレート剤から有害金属等を除去してキレート洗浄液を再生し、砂洗浄部及び礫洗浄部に返送する。砂すすぎ部は、砂洗浄部から排出された砂をすすぎ水で洗浄してキレート剤を除去する。礫すすぎ部は、礫洗浄部から排出された礫をすすぎ水で洗浄してキレート剤を除去する。キレート剤回収部は、砂すすぎ部及び礫すすぎ部から排出されたキレート剤を含む洗浄廃水からキレート剤を回収する。【００１３】  そして、砂洗浄部は、流通式の混合撹拌器と、振動篩と、ベルトプレス装置とを有する。混合撹拌器は、液体サイクロンから排出された砂とキレート洗浄液とを混合して攪拌し、砂に付着又は結合している有害金属等をキレート剤に捕捉させる。振動篩は、混合撹拌器から排出された砂とキレート洗浄液の混合物からキレート洗浄液を除去する。ベルトプレス装置は、それぞれ複数のローラに巻き掛けられて周回走行する多孔性の無端ベルト（又は濾材を装着した多孔性の無端ベルト）を備えた互いに対向する上側ベルト機構及び下側ベルト機構を有し、振動篩から排出されたキレート洗浄液で湿潤した砂を受け入れて、上側ベルト機構と下側ベルト機構の間に挟んで搬送する。このベルトプレス装置においては、下側ベルト機構と対向する部位において上側ベルト機構に、該上側ベルト機構の無端ベルトの内表面（裏面）に加圧空気を供給し、該加圧空気を、上側ベルト機構の無端ベルトと、上側ベルト機構と下側ベルト機構の間に挟まれた砂の層と、下側ベルト機構の無端ベルトとを経由して下向きに流通させて砂のキレート洗浄液含有比を低下させる加圧空気供給装置が設けられている。【００１４】  礫洗浄部は、キレート洗浄液を保持するキレート洗浄液槽と、礫を収��している礫容器をキレート洗浄液槽内のキレート洗浄液中に浸漬させた状態で水平方向に移動させる礫搬送装置とを有している。ここで、礫容器の底部及び／又は側部は、礫を通過させない寸法の目を有する篩網で形成されている。【００１５】  キレート剤再生部は、砂洗浄部及び礫洗浄部から排出されたキレート洗浄液を、キレート剤よりも錯生成力が高くキレート洗浄液と接触したときに該キレート洗浄液中の有害金属等を吸着する固相吸着材を有し、キレート洗浄液中のキレート剤から有害金属等を除去してキレート洗浄液を再生するキレート洗浄液再生装置を有する。砂すすぎ部は、砂洗浄部から排出された砂にすすぎ水を散布又は噴射して、該砂に保持されているキレート剤を除去する砂すすぎ装置を有する。礫すすぎ部は、礫洗浄部から排出された礫にすすぎ水を散布又は噴射して、該礫に保持されているキレート剤を除去する礫すすぎ装置を有する。【００１６】  キレート剤回収部は、洗浄廃水貯槽と、砂収容部と、屋根と、側溝と、洗浄廃水還流路と、水位保持装置とを有する。洗浄廃水貯槽は、砂すすぎ部及び礫すすぎ部から排出されたキレート剤を含む洗浄廃水を受け入れて貯留する。砂収容部は、地面に配設され、周壁と、周壁の下端部に結合された底壁と、周壁と底壁とによって形成された空間部に配置され洗浄廃水は通過させるが砂は通過させない多孔板とを有し、その内部空間において多孔板の上に水蒸発用砂を収容する、上側が開かれた容器状のものである。屋根は、砂収容部の上方に配設され、砂収容部への雨水の降下を阻止する。側溝は、砂収容部の周壁の外面に隣接して配設され、その内部空間が、多孔板より下側において周壁に形成された連通孔を介して、砂収容部の内部空間と連通する。洗浄廃水供給装置は、洗浄廃水貯槽に貯留されている洗浄廃水を側溝に供給する。洗浄廃水還流路は、側溝内の洗浄廃水を洗浄廃水貯槽に還流させる。水位保持装置は、側溝内の洗浄廃水の水位を、予め設定された砂浸漬上端位置に保持する。ここで、砂浸漬上端位置は、該砂浸漬上端位置と砂収容部の内部空間に収容されている水蒸発用砂の上面の位置との間に位置する水蒸発用砂が毛管水帯を形成するように設定されている。【００１７】  本発明に係る土壌浄化システムは、さらに、水蒸発用砂移送手段と、水蒸発用砂供給手段とを備えている。水蒸発用砂移送手段は、砂収容部に収容されている水蒸発用砂に側溝から洗浄廃水が所定期間にわたって供給され、水蒸発用砂に供給された洗浄廃水の水分が空気中に蒸発して該水蒸発用砂にキレート剤が蓄積されたときに、砂収容部内のキレート剤が蓄積された水蒸発用砂を砂洗浄部に移送する。水蒸発用砂供給手段は、砂すすぎ部から排出された砂の一部を、水蒸発用砂として砂収容部に供給する。【００１８】  一方、本発明に係る土壌浄化方法は、礫と砂と土とを含み有害金属等で汚染された土壌を浄化する土壌浄化施設ないしは土壌浄化システムにおいて用いられるものである。ここで、本発明に係る土壌浄化方法が用いられる土壌浄化施設ないしは土壌浄化システムは、本発明に係る前記土壌浄化システムとほぼ同様の構成である（水蒸発用砂移送手段及び水蒸発用砂供給手段を除く）。【００１９】  かくして、本発明に係る土壌浄化���法では、水位保持装置により、側溝の洗浄廃水の水位を砂浸漬上端位置に保持して、該砂浸漬上端位置より上側の砂層に毛管水帯を形成し、該毛管水帯内の水蒸発用砂に付着している洗浄廃水の水分を空気中に蒸発させて砂収容部から除去する。そして、砂収容部で所定の期間用いられてキレート剤が蓄積された水蒸発用砂を砂洗浄部に導入して、水蒸発用砂に蓄積されたキレート剤を回収する。一方、砂すすぎ部から排出された砂の一部を、砂収容部に収容する水蒸発用砂として用いる。本発明に係る土壌浄化方法においては、砂すすぎ部から排出された砂から細砂を分離し、該細砂を砂収容部に収容する水蒸発用砂として用いるのが好ましい。
【発明の効果】
【００２０】  本発明に係る土壌浄化システム又は土壌浄化方法によれば、土壌浄化システム内の一連の流通系統を循環する大量の洗浄水にキレート剤を添加せず、液体サイクロンから排出される砂と、トロンメルから排出された礫とをキレート洗浄液で洗浄するようにしているので、土壌浄化システム内に保持するキレート剤の量を大幅に低減することができる。そして、キレート洗浄液で洗浄された砂及び礫を、それぞれ砂すすぎ部及び礫すすぎ部においてすすぎ水で洗浄するので、キレート剤を含まない再利用に適した砂及び礫を得ることができる。また、砂すすぎ部及び礫すすぎ部から排出される洗浄廃水中のキレート剤が、キレート剤回収部によって砂洗浄部に戻されるので、キレート剤の使用量を大幅に低減することができる。さらに、ベルトプレス装置において加圧空気供給装置により、キレート洗浄液で湿潤した砂のキレート洗浄液含有比が低下させられるので、砂すすぎ部におけるすすぎ水の使用量、すなわち蒸発させるべき洗浄廃水の量を低減することができ、キレート剤回収部における砂収容部の敷地面積を低減することができる。
【図面の簡単な説明】
【００２１】
【図１】本発明に係る土壌浄化システムの概略構成を示すブロック図である。
【図２】図１に示す土壌浄化システムの一部をなす土壌分級部の概略構成を示す模式的な平面図である。
【図３】図１に示す土壌浄化システムの一部をなす砂・礫浄化部の概略構成を示すブロック図である。
【図４】図３に示す砂・礫浄化部の一部をなす砂洗浄部の模式的な立面図である。
【図５】図３に示す砂・礫浄化部の一部をなす礫洗浄部の模式的な一部断面側面図である。
【図６】図３に示す砂・礫浄化部の一部をなすキレート剤再生部の構成を示す模式的な立面図である。
【図７】図３に示す砂・礫浄化部の一部をなす砂すすぎ部の構成を示す模式的な一部断面側面図である。
【図８】図３に示す砂・礫浄化部の一部をなす礫すすぎ部の構成を示す模式的な一部断面側面図である。
【図９】図１に示す土壌浄化システム（キレート剤再生部を除く）の構成を示す模式的な平面図である。
【図１０】砂収容部の長手方向（前後方向）と垂直な平面で切断した、砂収容部、屋根及び側溝の模式的な断面立面図である。
【図１１】多孔板及び砂層を除去した状態における砂収容部及び側溝の要部の模式的な平面図である。
【発明を実施するための形態】
【００２２】  以下、添付の図面を参照しつつ、本発明の実施形態に係る土壌浄化システム及び土壌浄化方法を具体的に説明する。
図１に示すように、本発明の実施形態に係る、礫と砂と土とを含み有害金属等（すなわち、有害金属及び／又はその化合物）で汚染された土壌を浄化する土壌浄化システムＳは、洗浄水を用いて汚染土壌を礫と砂と土とに湿式分級する土壌分級部１と、土壌分級部１で分離された砂と礫とを、キレート剤と水とを含むキレート洗浄液で洗浄して浄化する砂・礫浄化部２とを備えている。
【００２３】  図２に示すように、土壌分級部１においては、有害金属等で汚染され、あるいはその他の汚染物質で汚染された地盤の掘削等により採取された土壌（汚染土壌）が、投入ホッパ３に受け入れられる。そして、投入ホッパ３内の土壌はまず容器状の混合器４に投入され、混合器４内で洗浄水と混合される。ここで、土壌は、種々の粒径の礫（粒径が２〜７５ｍｍ）と、砂（粒径が０．０７５〜２ｍｍ）と、土（粒径が０．０７５ｍｍ以下のシルト又は粘土）とを含むものである。投入ホッパ３内の土壌は有害金属等で汚染され、場合によってはさらにその他の汚染物質で汚染されている。ここで、有害金属等としては、例えばクロム、鉛、カドミウム、セレン、水銀、金属砒素及びこれらの化合物などが挙げられる。後で説明するキレート洗浄液は、このような有害金属等を効果的に捕捉（除去）することができるものである。
【００２４】  混合器４で生成された土壌と洗浄水の混合物（以下「土壌・水混合物」という。）はミルブレーカ５に移送される。ミルブレーカ５としては、例えばロッドミルを用いることができる。ロッドミルは、詳しくは図示していないが、ドラムの中に複数のロッドが配置された装置であり、ドラムの回転によってロッドが互いに平行に転動して線接触し、その衝撃力、摩擦力等により礫に付着又は固着している有害金属等を剥離して礫から離脱させる。洗浄水中に離脱した有害金属等の大部分は、砂及び土（細粒土）の粒子の表面に付着する。
【００２５】  ミルブレーカ５から排出された土壌・水混合物はトロンメル６に導入される。トロンメル６は、詳しくは図示していないが、洗浄水を貯留することができる受槽と、水平面に対して傾斜して配置された略円筒形のドラムスクリーンとを有する湿式の篩分装置である。ドラムスクリーンは、モータによりその中心軸まわりに回転することができるようになっている。また、ドラムスクリーン内には、洗浄水をスプレー状で噴射することができるようになっている。
【００２６】  トロンメル６の回転しているドラムスクリーンの内部を土壌・水混合物が流れる際に、ドラムスクリーンの網目より細かい土壌粒子（砂、土）は、洗浄水とともにドラムスクリーンの網目を通り抜け、ドラムスクリーン外に出て受槽内に入る。他方、ドラムスクリーンの網目より粗い土壌粒子（礫）は、ドラムスクリーンの網目を通り抜けることができないので、ドラムスクリーンの下側の開口端を経由してドラムスクリーン外に排出される。トロンメル６から排出された礫は砂・礫浄化部２（図３参照）に移送される。
【００２７】  ドラムスクリーンの網目の分級径（目開き）は、例えば粒径が２ｍｍ未満の土壌粒子（砂、土）がドラムスクリーンの網目を通り抜けるように設定される。したがって、トロンメル６では、粒径が２ｍｍ以上の土壌粒子（すなわち、礫）が土壌・水混合物から分離される。なお、トロンメル６のドラムスクリーンの網目の寸法（目開き）は前記のものに限定されるわけではなく、得ようとする比較的粒径が大きい土壌粒子の粒径に応じて、任意に設定することができる。
【００２８】  トロンメル６の受槽内に収容された粒径が２ｍｍ未満の土壌粒子（砂、土）と洗浄水とを含む土壌・水混合物は液体サイクロン７に導入される。液体サイクロン７は、詳しくは図示していないが、下方に向かって狭まる略円錐状のシリンダ内に土壌・水混合物をポンプで圧送して旋回流を生じさせ、これによって生じる遠心力を利用して、土壌・水混合物を、比較的粒径が小さい土（例えば、粒径が０．０７５ｍｍ未満）と洗浄水の混合物（洗浄水が大半）と、比較的粒径が大きい砂（例えば０．０７５ｍｍ以上）と洗浄水の混合物（洗浄水の割合は小さい）とに分離する。そして土と洗浄水の混合物（以下「土含有水」という。）は液体サイクロン７の上端部から排出され、砂と洗浄水の混合物はサイクロン７の下端部から排出される。そして、土含有水はＰＨ調整槽８に移送される。土含有水に含まれる土は、例えば粒径が０．０７５ｍｍ未満のシルト又は粘土である。液体サイクロン７の下端部から排出された砂と洗浄水の混合物は、例えば振動篩などを用いて洗浄水の割合を低下させた後、砂・礫浄化部２（図３参照）に移送される。
【００２９】  サイクロン７から排出された土含有水はＰＨ調整槽８に導入され、そのｐＨ（水素指数）が、ｐＨ調整剤、例えば酸液（例えば、硫酸、塩酸等）及びアルカリ液（例えば、水酸化ナトリウム水溶液等）を用いて、ほぼ中性又は所定のｐＨ（例えば、ｐＨ７〜８）となるように調整される。なお、図示していないが、ＰＨ調整槽８では、土含有水のｐＨはｐＨメータ等を備えた自動制御装置により自動的に調整される。
【００３０】  ＰＨ調整槽８でｐＨが調整された土含有水は凝集槽９に導入される。凝集槽９では、土含有水にポリ塩化アルミニウム液（ＰＡＣ）と、高分子凝集剤と、ｐＨ調整剤（酸液又はアルカリ液）とが添加される。これにより、凝集槽９内に非水溶性の金属水酸化物と土とが混在する多数のフロックが生成される。
【００３１】  凝集槽９内の多数のフロックを含む土含有水はシックナ１０に導入される。シックナ１０は、詳しくは図示していないが、土含有水がほぼ静止している状態でフロックないしは土を重力により沈降させ、下部に位置するスラッジ層（例えば、固形分の比率が５〜１０％）と、上部に位置しほとんどフロックないしは土を含まない上澄水（洗浄水）とを形成する。なお、上澄水の表面に浮上油が浮遊している場合は、例えばシックナ１０の水面にオイル吸収マットなどを浮遊させて適宜にこのオイル吸収マットを回収することにより、浮上油を除去することができる。
【００３２】  シックナ１０内の上澄水は、洗浄水貯槽１１に導入され、貯留される。洗浄水貯槽１１に貯留されている洗浄水は、混合器４とトロンメル６とに供給される。なお、洗浄水貯槽１１に貯留されている洗浄水が蒸発等により目減りしたときには、適宜に水（工業用水、水道水等）が補給される。
【００３３】  他方、シックナ１０の下部に堆積しているスラッジは、中間タンク１２に移送され、一時的に貯留される。そして、中間タンク１２内のスラッジは、適宜に又は連続的に、フィルタプレス１３に移送される。フィルタプレス１３は、詳しくは図示していないが、バッチ式又は半連続式の加圧式濾過器であって、中間タンク１２から受け入れたスラッジを加圧濾過し、濾過ケーク（土）と濾液（洗浄水）とを生成する。フィルタプレス１３の濾過圧力は、例えば濾過ケークの含水率が３０〜４０％となるように好ましく設定される。ここで、フィルタプレス１３の濾液はシックナ１０に戻される。このように、洗浄水は、土壌分級部１内で循環使用され、外部には排出されない。すなわち、土壌分級部１は、洗浄水に関してクローズドシステムである。
【００３４】  図３に示すように、砂・礫浄化部２は、砂洗浄部１４と、礫洗浄部１５と、キレート剤再生部１６と、砂すすぎ部１７と、礫すすぎ部１８と、キレート剤回収部１９とを有する。ここで、砂洗浄部１４は、液体サイクロン７から排出された砂を、キレート剤と水とを含むキレート洗浄液で洗浄し、該砂から有害金属等を除去する。礫洗浄部１５は、トロンメル６から排出された礫をキレート洗浄液で洗浄し、該礫から有害金属又はその化合物を除去する。キレート剤再生部１６は、砂洗浄部１４及び礫洗浄部１５から排出されたキレート洗浄液中のキレート剤から有害金属等を除去してキレート洗浄液を再生し、砂洗浄部１４及び礫洗浄部１５に返送する。砂すすぎ部１７は、砂洗浄部１４から排出された砂をすすぎ水で洗浄してキレート剤を除去する。礫すすぎ部１８は、礫洗浄部１５から排出された礫をすすぎ水で洗浄してキレート剤を除去する。キレート剤回収部１９は、砂すすぎ部１７及び礫すすぎ部１８から排出されたキレート剤を含む洗浄廃水からキレート剤を回収する。
【００３５】  図４に示すように、砂洗浄部１４は、流通式の混合撹拌器１４Ａと、振動篩１４Ｂと、ベルトプレス装置１４Ｃとを備えている。混合撹拌器１４Ａは、液体サイクロン７から排出された砂とキレート洗浄液とを混合して攪拌し、砂に付着又は結合している有害金属等をキレート剤に捕捉させるための装置である。振動篩１４Ｂは、混合撹拌器１４Ａから排出された砂とキレート洗浄液の混合物からキレート洗浄液の大半を除去するための装置である。ベルトプレス装置１４Ｃは、後で詳しく説明するように、振動篩１４Ｂから排出されたキレート洗浄液で湿潤した砂を受け入れ、該砂を搬送しつつそのキレート洗浄液含有比（ないしはキレート洗浄液含有率）を低下させるための装置である。
【００３６】  具体的には、混合撹拌器１４Ａは、中心軸が上下方向に伸びる細長い略円筒状の本体部２０と、本体部２０の内周面に取り付けられた複数の邪魔板２１（バッフルプレート）と、本体部２０内に配置された攪拌機２２と、攪拌機２２を回転駆動するモータ２３とを備えている。各邪魔板２１は、その中心部に穴が形成された基本的には円環状のものであるが、砂の下方への移動を円滑化するために、内側に向かって下降傾斜するテーパ状に形成されている。
【００３７】  攪拌機２２は、上下方向に伸びる回転シャフトに取り付けられた複数の撹拌翼ないしはブレードを有している。攪拌翼の形状ないしは寸法は、各邪魔板２１の穴を通り抜けることができるように設定されている。ここで、各邪魔板２１と攪拌機２２の各撹拌翼とは、上下方向に交互に並ぶように配設されている。
【００３８】  本体部２０の寸法（例えば、直径、高さ等）は、該本体部２０内を流れるキレート洗浄液及び砂粒子が、予め設定された滞留時間（例えば、０．１〜０．３時間）を確保することができるように好ましく設定される。また、攪拌機２２の各撹拌翼の数、形状、回転速度等は、本体部２０内において、砂粒子がキレート洗浄液中にほぼ均一に分散されるような乱流度（例えば、レイノルズ数２００００〜１０００００）が達成されるように好ましく設定される。
【００３９】  そして、本体部２０の上端開口部に、砂とキレート洗浄液とが供給され、キレート洗浄液と砂粒子とが攪拌機２２によって攪拌・混合される。その結果、砂粒子がキレート洗浄液中にほぼ均一に分散されてなる混合物（以下「砂・洗浄液混合物」という。）が生成され、この砂・洗浄液混合物は攪拌機２２の複数の撹拌翼によって攪拌されながら本体部２０内を、緩速で下向きに流れる。かくして、混合撹拌器１４Ａ（本体部２０）内では、砂粒子がキレート洗浄液と接触させられ、砂・洗浄液混合物中の砂粒子の表面に付着している有害金属等が除去される。なお、邪魔板２１は、本体部２０内における砂・洗浄液混合物の乱流度（レイノルズ数）を高め、これにより砂粒子からの有害金属等の除去ないしは離脱が促進される。
【００４０】  キレート洗浄液に用いられるキレート剤としては、例えば、ＥＤＴＡ（エチレンジアミン四酢酸）、あるいはＨＩＤＳ（３−ヒドロキシ−２，２’−イミノジコハク酸）、ＩＤＳ（２，２’−イミノジコハク酸）、ＭＧＤＡ（メチルグリシン二酢酸）、ＥＤＤＳ（エチレンジアミンジ酢酸）又はＧＬＤＡ（Ｌ−グルタミン酸ジ酢酸）のナトリウム塩などが挙げられる。これらのキレート剤は、いずれも砂粒子に付着ないしは結合している有害金属等を有効に捕捉する（キレートする）ことができものである。なお、砂に付着ないしは結合している有害金属等の種類に応じて、その処理に適したキレート剤が選択され、又は複数種のキレート剤が用いられる。
【００４１】  このように砂から有害金属等が除去された後、砂・洗浄液混合物は、本体部２０の下端開口部から振動篩１４Ｂに導入され、該砂・洗浄液混合物から大部分のキレート洗浄液が分離される。振動篩１４Ｂとしては、予め設定された目開き（口径）の金網２４が、ケーシング２５内に傾斜して配置された傾斜型振動篩機が用いられる。なお、円型振動篩機等を用いてもよい。また、振動篩ではなく静止型の傾斜篩を用いてもよい。振動篩１４Ｂの金網２４は、砂粒子を通過させない目開き（口径）のものが用いられる。金網２４を通過したキレート洗浄液は、管路２６を介して洗浄液貯槽２７に導入され、貯留される。洗浄液貯槽２７に貯留されたキレート洗浄液は、後で説明するキレート剤再生部１５に輸送される。
【００４２】  他方、振動篩１４Ｂの金網２４を通過することができない砂はベルトプレス装置１４Ｃに導入される。ベルトプレス装置１４Ｃに導入される砂は、キレート洗浄液で湿潤し、そのキレート洗浄液含有比はかなり高くなっている（例えば、２０〜４０％）。そこで、この砂を、ベルトプレス装置１４Ｃで処理してそのキレート洗浄液含有比を可及的に低下させるようにしている。
【００４３】  ベルトプレス装置１４Ｃは、下側ベルト機構２８と、該下側ベルト機構２８の上側にこれと上下方向に対向するように配置された上側ベルト機構２９とを備えたダブルベルトプレス装置である。下側ベルト機構２８は、下側駆動ローラ３０と下側従動ローラ３１とを備えている。下側駆動ローラ３０は、モータ（図示せず）によって、矢印で示す方向（図４中では時計回り方向）に所定の回転速度で回転駆動される。そして、下側駆動ローラ３０と下側従動ローラ３１とにわたって、可撓性を有する多孔性の下側無端ベルト３２（以下、略して「ベルト３２」という。）が巻き掛けられている。ベルト３２は、下側駆動ローラ３０と下側従動ローラ３１との間の周回軌道を周回走行する。
【００４４】  他方、上側ベルト機構２９は、上側駆動ローラ３３と上側従動ローラ３４とを備えている。上側駆動ローラ３３は、モータ（図示せず）によって、矢印で示す方向（図４中では反時計回り方向）に、下側駆動ローラ３０と同一の周速で回転駆動される。そして、上側駆動ローラ３３と上側従動ローラ３４とにわたって、可撓性を有する多孔性の上側無端ベルト３５（以下、略して「ベルト３５」という。）が巻き掛けられている。ベルト３５は、上側駆動ローラ３３と上側従動ローラ３４との間の周回軌道を周回走行する。
【００４５】  下側ベルト機構２８のベルト３２及び上側ベルト機構２９のベルト３５は、それぞれ、キレート洗浄液や空気は通過させるが砂は通過させない、可撓性（柔軟性）を有する多孔性の材料で形成されている。なお、ベルト３２、３５として、多孔性のベルトに濾布等の濾材を装着した濾材装着ベルトを用いてもよい。
【００４６】  下側ベルト機構２８においては、ベルト３２の上側の水平走行経路と下側の水平走行経路の間にキレート洗浄液受槽３６が配設されている。キレート洗浄液受槽３６は、上部が開口する容器であり、砂から離脱してベルト３２を下向きに通過したキレート洗浄液を受け入れる。キレート洗浄液受槽３６内のキレート洗浄液は、排液管３７を経由して、重力で洗浄液貯槽２７に流下する。なお、ベルト３２は、上側の水平走行経路では、複数（多数）の支持ローラによって支持され、ほぼ水平に走行する。
【００４７】  上側ベルト機構２９においては、ベルト３５の上側の水平走行経路と下側の水平走行経路の間に加圧室３８が設けられている。加圧室３８は、下部が開口する容器状のチャンバであり、加圧室３８の下部開口部は、下側の水平走行経路を走行するベルト３５によって閉じられている。加圧室３８は、空気供給管３９を介して空気ポンプ４０（ブロワ）に接続されている。ベルトプレス装置１４Ｃの運転時には、空気ポンプ４０から加圧室３８に加圧空気が供給され、加圧室３８内は加圧状態となっている。
【００４８】  ベルトプレス装置１４Ｃの運転時には、下側駆動ローラ３０が矢印で示す方向（時計回り方向）に所定の回転速度で回転する一方、上側駆動ローラ３３が矢印で示す方向（反時計回り方向）に同一の周速で回転する。両駆動ローラ３０、３３の直径が同一であるので、両駆動ローラ３０、３３は同一の回転速度で互いに逆方向に回転することになる。その結果、図４に示す位置関係において、ベルト３２は時計回り方向に周回走行し、ベルト３５は反時計回り方向に周回走行する。したがって、両ベルト３２、３５が上下方向に互いに近接して対向している部位では、ベルト３２とベルト３５とは、互いに所定の間隔を保持して同一方向に直線状に走行する。
【００４９】  かくして、ベルトプレス装置１４Ｃは、振動篩１４Ｂから排出されたキレート洗浄液で湿潤した砂を受け入れ、下側ベルト機構２８と上側ベルト機構２９とが対向する部位では、砂を両ベルト３２、３５間に挟みつけて搬送する。その際、上側ベルト機構２９のベルト３５の内表面（裏面）に加圧空気が供給され、この加圧空気は、ベルト３５と、両ベルト３２、３５間に挟まれた砂の層と、ベルト３２とを経由して高速で下向きに流通し、砂に付着しているキレート洗浄液の大部分を砂から離脱させてキレート洗浄液受槽３６に流下ないしは落下させる。これにより、砂のキレート洗浄液含有比は非常に小さくなる（例えば、５〜１０％）。このようにキレート洗浄液含有比が低下した砂は、スクレーパによって掻き取られ、後で説明する砂すすぎ部１６に移送される。
【００５０】  図５に示すように、礫洗浄部１５は、キレート洗浄液を保持するキレート洗浄液槽４１と、礫を収容している礫容器４４をキレート洗浄液槽４１内のキレート洗浄液中に浸漬させた状態で水平方向に移動させる礫搬送装置４３とを有している。礫容器４４の底部及び側部は、礫を通過させない寸法の目を有する篩網（金網等）で形成されている。
【００５１】  礫搬送装置４３は、礫を収容している複数の礫容器４４を、おおむね矢印Ｐで示す方向に連続的又は間欠的に搬送し、キレート洗浄液槽４１内のキレート洗浄液に浸漬して水平方向に移動させる。なお、礫洗浄部１５に関する以下の説明においては、便宜上、礫容器４４の搬送方向Ｐ（図５中の位置関係ではおおむね右向き）に関して、礫容器４４が進んで行く側（図５中の位置関係では右側）を「前」といい、これと反対側（図５中の位置関係では左側）を「後」ということにする。
【００５２】  キレート洗浄液槽４１は、その後端部に位置する入口側傾斜部４１ａと、前端部に位置する出口側傾斜部４１ｂと、両傾斜部４１ａ、４１ｂ間に位置し深さが一定である水平部４１ｃとを有している。そして、水平部４１ｃの深さは、礫容器４４をキレート洗浄液槽４１内のキレート洗浄液中に完全に浸漬することができるように設定されている。キレート洗浄液槽４１の水平部４１ｃの長さ（前後方向の寸法）は、礫容器４４の搬送速度に応じて、礫容器４４に収容されている礫から有害金属等をほぼ完全に除去してキレート剤に捕捉させることが可能な浸漬時間を確保することができるように設定されている。キレート洗浄液槽４１の幅（水平面内において前後方向と垂直な方向の寸法）は、キレート洗浄液槽４１が幅方向に余裕をもって礫容器４４を収容することができるように設定されている。
【００５３】  礫搬送装置４３は、その一部がキレート洗浄液槽４１の上方に配置されたレール４５と、レール４５に沿って走行することができる複数の走行具４６と、各走行具４６に取り付けられ礫容器４４を保持するハンガー４７と、各走行具４６を牽引してレール４５に沿って走行させる牽引チェーン４８とを備えている。レール４５は、詳しくは図示していないが、平面視ではループをなし、キレート洗浄液槽４１の上方では、礫容器４４をキレート洗浄液槽４１内のキレート洗浄液に浸漬することができるような形態に形成されている。すなわち、キレート洗浄液槽４１の上方では、レール４５はおおむねキレート洗浄液４１の底面の形状に対応して起伏している。したがって、走行具４６がレール４５に沿っておおむね矢印Ｐで示す方向に走行すると、礫容器４４は、キレート洗浄液槽４１内のキレート洗浄液に浸漬される。
【００５４】  詳しくは図示していないが、キレート洗浄液槽４１の前端部へは、キレート剤再生部１６からキレート洗浄液が所定の流量で連続的に供給される一方、キレート洗浄液槽４１の後端部からは、礫を洗浄したキレート洗浄液が所定の流量（平均的には供給流量と同一）で連続的に排出される。このように排出されたキレート洗浄液は、キレート剤再生部１６に戻される。
【００５５】  かくして、キレート洗浄液槽４１内には、巨視的には前側から後側に向かうキレート洗浄液の全体流れが生じる。その結果、礫容器４４内の礫とキレート洗浄液は、前後方向に関して向流で固液接触する。このとき、キレート洗浄液槽４１の前端部近傍では、キレート洗浄液槽４１の後部ないし中部ですでに有害金属等の大部分が除去された礫が、有害金属等を捕捉していないキレート洗浄液と接触するので、礫中の有害金属等をほぼ完全に除去することができる。
【００５６】  図６に示すように、キレート剤再生部１６には、キレート洗浄液ないしはキレート剤を再生する手段として、その内部に固相吸着材粒子、又は固相吸着材が固定された充填物（パッキング）が充填された充填塔５１（キレート洗浄液再生装置）が設けられている。また、キレート剤再生部１６には、再生すべきキレート洗浄液を貯留する中間貯槽５２と、再生されたキレート洗浄液を貯留する再生キレート洗浄液貯槽５３と、酸液を貯留する酸液貯槽５４と、水を貯留する水貯槽５５とが設けられている。
【００５７】  中間貯槽５２には、洗浄液貯槽２７（図４参照）及びキレート洗浄液槽４１（図５参照）から導入されたキレート洗浄液が一時的に貯留される。そして、キレート洗浄液を再生するときに、中間貯槽５２に貯留されたキレート洗浄液を充填塔５１に移送する一方、充填塔５１で再生されたキレート洗浄液を再生キレート洗浄液貯槽５３に移送するためのポンプ５６及び一連の複数の管路５７〜６０が設けられている。さらに、再生キレート洗浄液貯槽５３に貯留されたキレート洗浄液を砂洗浄部１４（混合攪拌器２１）及び礫洗浄部１５（キレート洗浄液槽４１）に戻すためのポンプ６１及び管路６２が設けられている。
【００５８】  さらに、キレート剤再生部１６には、固相吸着材を再生する際に、酸液貯槽５４に貯留された酸液を充填塔５１に移送する一方、充填塔５１から排出された酸液を酸液貯槽５４に戻すためのポンプ６３及び複数の管路６４、６５が設けられている。また、キレート剤再生部１６には、酸液で再生された固相吸着材を水洗する際に、水貯槽５５に貯留された水を充填塔５１に移送する一方、充填塔５１から排出された水を水貯槽５５に戻すためのポンプ６６及び複数の管路６７、６８が設けられている。
【００５９】  ここで、充填塔５１にキレート洗浄液、酸液又は水を移送するための管路５７、５８、６４、６７には、それぞれ、対応する管路を開閉するバルブ７１、７２、７３、７４が介設されている。他方、充填塔５１からキレート洗浄液、酸液又は水を排出するための管路５９、６０、６５、６８には、それぞれ、対応する管路を開閉するバルブ７５、７６、７７、７８が介設されている。これらのバルブ７１〜７４、７５〜７８の開閉状態を切り換えることにより、充填塔５１に対して、キレート洗浄液、酸液又は水のいずれかを給排することができる。なお、これらのバルブ７１〜７４、７５〜７８の開閉は、図示していないコントローラによって自動的に制御される。
【００６０】  以下、キレート剤再生部１６の運転手法の一例を説明する。なお、以下で説明する運転手法は単なる例示であって、本発明に係るキレート剤再生部１６の運転手法が以下のものに限定されるものではないのはもちろんである。キレート洗浄液（キレート剤）を再生する際には、管路５７〜６０に介設されたバルブ７１、７２、７５、７６が開かれる一方、他のバルブ７３、７４、７７、７８が閉じられ、ポンプ５６が運転される。これにより、中間貯槽５２内のキレート洗浄液が、充填塔５１内を流通して再生キレート洗浄液貯槽５３に移送される。
【００６１】  かくして、充填塔５１内では、有害金属等を捕捉しているキレート剤を含むキレート洗浄液が、キレート剤より錯生成力が高い固相吸着材（固相吸着材粒子）と接触させられる。その結果、キレート剤に捕捉されている有害金属等がキレート剤から離脱させられ、固相吸着材に吸着ないしは抽出される。これにより、キレート洗浄液から有害金属等が除去・回収される一方、キレート剤は再び有害金属等を捕捉することができる状態となり、キレート洗浄液が再生される。再生キレート洗浄液貯槽５３に貯留されたキレート洗浄液は、ポンプ６１によって、管路６２を介して砂洗浄部１４及び礫洗浄部１５に返送される。
【００６２】  キレート剤より錯生成力が高い固相吸着材は、例えばゲル等の固体状のものであり、一般に、金属を捕捉しているキレート剤を含む水溶液と接触したときに、キレート剤と配位結合している金属イオンをキレート剤から離脱させて該固相吸着材に移動させることができる程度の共有結合以外の強い結合力を有しているものである。このような固相吸着材としては、例えばシリカゲルや樹脂等の担体に環状分子を密に担持させ、この環状分子にキレート配位子を修飾させたものなどが挙げられる。このような固相吸着材を用いる場合、隣り合う環状分子及びキレート配位子により、配位結合、水素結合などの複数の様々な結合や相互作用が生じて多点相互作用が生じ、金属イオンに対してキレート剤よりも強い化学結合が生じるとともに環状分子の性状により金属イオンを選択的に取り込むことができる。
【００６３】  このようなキレート洗浄液の再生に伴って、固相吸着材における有害金属等の吸着量は経時的に増加してゆくが、固相吸着材の吸着能力には上限がある。このため、固相吸着材における有害金属等の吸着量が飽和状態ないしはその近傍に達したときには、固相吸着材は再生される。すなわち、キレート洗浄液が排除された状態で充填塔５１内に酸液を流し、固相吸着材に吸着された有害金属等を酸液により除去して固相吸着材を再生する。かくして、有害金属等が酸液によって回収される一方、固相吸着材は再生されて再び有害金属等ないしはこれらのイオンを吸着又は抽出することが可能な状態となる。なお、固相吸着材は、酸液によって再生された後に水洗され、固相吸着材に付着している微量の酸液が除去される。
【００６４】  充填塔５１内の固相吸着材の有害金属等の吸着量が飽和状態ないしはその近傍に達して固相吸着材を酸液で再生する際には、管路６４、５８、５９、６５に介設されたバルブ７３、７２、７５、７７が開かれる一方、他のバルブ７１、７４、７６、７８が閉じられ、ポンプ６３が運転される。これにより、酸液貯槽５４内の酸液が、充填塔５１内を流通して酸液貯槽５４に還流する。固相吸着材の再生操作を開始する前には、充填塔５１内のキレート洗浄液は排除される。なお、複数の充填塔５１を並列に配設すれば、一部の充填塔５１へのキレート洗浄液の供給が停止されているときでも、キレート洗浄液を連続的に再生することができる。固相吸着材の有害金属吸着量が飽和状態ないしはその近傍に達したか否かは、充填塔５１から排出されたキレート洗浄液中の有害金属等の含有量を検出することにより判定することができる。
【００６５】  充填塔５１内に酸液を流す時間は、充填塔５１の寸法ないしは形状、固相吸着材粒子の寸法等に応じて好ましく設定される。酸液は、酸液貯槽５４と充填塔５１とを循環して流れる。その際、充填塔５１内の固相吸着材は酸液と接触し、固相吸着材に吸着されている有害金属等が酸液中に離脱させられる。すなわち、有害金属等が酸液によって回収される一方、固相吸着材は再生されて再び有害金属等を吸着することが可能な状態となる。
【００６６】  酸液による固相吸着材の再生が終了した後に固相吸着材を水洗する際には、管路６７、５８、５９、６８に介設されたバルブ７４、７２、７５、７８が開かれる一方、他のバルブ７１、７３、７６、７７が閉じられ、ポンプ６６が運転される。これにより、水貯槽５５内の水が、充填塔５１内を流通して水貯槽５５に還流する。このような固相吸着材の水洗操作を開始する前には、充填塔５１内の酸液は排除される。水は、水貯槽５５と充填塔５１との間を循環して流れる。その際、充填塔５１内の固相吸着材は水と接触し、固相吸着材に付着している酸液が洗浄される。この後、キレート洗浄液の再生が再開される。
【００６７】  図７に示すように、砂すすぎ部１７（砂すすぎ装置）は、ベルトコンベア８０と、砂供給装置８１と、すすぎ水散布装置８２と、洗浄廃水受槽８３とを備えている。ここで、ベルトコンベア８０は、電動機（図示せず）によって回転駆動されるシャフト８４ａに同軸に取り付けられた略円柱形の駆動ローラ８４と、駆動源には接続されていないシャフト８５ａに同軸に取り付けられた略円柱形の従動ローラ８５と、駆動ローラ８４と従動ローラ８５とに巻き掛けられた輪状ないしは無端（エンドレス）の搬送ベルト８６と、搬送ベルト８６を支持ないしは案内する多数の支持ローラ８７と、該ベルトコンベア８０から排出される砂を案内する案内板８８とを備えている。
【００６８】  駆動ローラ８４と従動ローラ８５とは、その直径が同一であり、同一の高さの位置に配置されている。搬送ベルト８６は、すすぎ水は通過させるが砂の粒子は通過させない輪状に湾曲させることが可能な多孔性材料、メッシュ状材料、繊維状材料ないしは布状材料で形成されている。すすぎ水散布装置８２は、搬送ベルト８６の移動方向に関して所定の長さ（例えば、１〜２ｍ）の領域において、搬送ベルト８６によって搬送されている砂にすすぎ水を散布する。なお、すすぎ水散布装置８２からのすすぎ水の散布量は、砂に付着しているキレート洗浄液をほぼ全部洗い流すことができるように好ましく設定される。例えば、砂に付着しているキレート洗浄液の量の１．５〜２．０倍の量のすすぎ水が散布される。具体例としては、例えばキレート洗浄液含有比が１０％の砂を１時間あたり５トン（乾燥基準）で搬送する場合は、１時間あたり０．７５〜１．０トンのすすぎ水を散布することになる。
【００６９】  砂供給装置８１は、砂洗浄部１４から排出された砂を、従動ローラ８５の近傍で搬送ベルト８６の上に所定の流量で供給する。このように供給された砂は、搬送ベルト８６によって搬送され、駆動ローラ８４に対応する位置で案内板８８を経由して下方に落下し、砂貯蔵場（図示せず）に貯蔵される。搬送ベルト８６によって搬送されている砂には、すすぎ水散布装置８２からすすぎ水が散布される。このすすぎ水は、砂の粒子の間隙を通って下方に移動し、搬送ベルト８６を通過して洗浄廃水受槽８３に、洗浄廃水として流下又は落下する。その際、砂に付着していたキレート洗浄液は、すすぎ水によって下方に洗い流され、洗浄廃水受槽８３に流入又は落下する。
【００７０】  かくして、砂貯槽場（図示せず）にはキレート剤を含まない砂が貯蔵される。一方、砂すすぎ部１７の洗浄廃水受槽８３内のキレート剤を含む洗浄廃水は、キレート剤回収部１９の洗浄廃水蒸発装置１０１（図９参照）に導入される。そして、洗浄廃水蒸発装置１０１によって、洗浄廃水からキレート剤が回収され、このキレート剤は砂とともに砂洗浄部１４に戻される。
【００７１】  なお、砂すすぎ部１７におけるすすぎ水の使用量すなわち洗浄廃水の排出量をより低減するために、ベルトコンベア８０として真空吸引式ベルトコンベアを用いてもよい。真空吸引式ベルトコンベアは、砂を濾材装着ベルトで搬送しつつ、濾材装着ベルトを介して該砂を真空吸引して該砂の含水比を低下させるものである。この場合、濾材装着ベルト上の砂層の粒子間空隙部を通って減圧室に高速で流入する空気によって、すすぎ水ないしは洗浄廃水の下向きの移動が促進されるので、すすぎ水の使用量を大幅に低減することができる。
【００７２】  図８に示すように、礫すすぎ部１８（礫すすぎ装置）は、ベルトコンベア９０と、礫供給装置９１と、すすぎ水散布装置９２と、すすぎ水受槽９３とを備えている。ここで、ベルトコンベア９０は、電動機（図示せず）によって回転駆動されるシャフト９４ａに同軸に取り付けられた略円柱形の駆動ローラ９４と、駆動源には接続されていないシャフト９５ａに同軸に取り付けられた略円柱形の従動ローラ９５と、駆動ローラ９４と従動ローラ９５とに巻き掛けられた輪状ないしは無端（エンドレス）の搬送ベルト９６と、搬送ベルト９６を支持ないしは案内する多数の支持ローラ９７と、該ベルトコンベア９０から排出される礫を案内する案内板９８と、礫貯蔵所（図示せず）とを備えている。
【００７３】  なお、礫すすぎ部１８の構成及び機能は、すすぎ水で洗浄する対象が砂ではなく礫である点を除けば、図７に示す砂すすぎ部１７と実質的に同一である。そこで、説明の重複を避けるため、礫すすぎ部１８の詳細な説明は省略する。
【００７４】  かくして、砂すすぎ部１７及び礫すすぎ部１８の各すすぎ水受槽８３、９３に収容された洗浄廃水（キレート剤を含むすすぎ水）は、キレート剤回収部１９の洗浄廃水蒸発装置１０１に導入される。そして、洗浄廃水蒸発装置１０１によって、洗浄廃水からキレート剤が回収され、砂洗浄部１４に戻される。
【００７５】  以下、キレート剤回収部１９の洗浄廃水蒸発装置１０１の構成及び機能を具体的に説明する。
図９〜図１１に示すように、キレート剤回収部１９の洗浄廃水蒸発装置１０１には、砂すすぎ部１７の洗浄廃水受槽８３（図７参照）及び礫すすぎ部１８の洗浄廃水受槽９３（図８参照）から排出されたキレート剤を含む洗浄廃水を、洗浄廃水通路１０３を介して受け入れる洗浄廃水貯槽１０４が設けられている。洗浄廃水貯槽１０４は、地面に埋設された、平面形状が長方形であるコンクリート製の貯水槽である。洗浄廃水貯槽１０４の上方には、該洗浄廃水貯槽１０４への雨水の降下を阻止する屋根（図示せず）が設けられている。なお、以下ではキレート剤回収部１９ないしは洗浄廃水蒸発装置１０１における施設ないしは装置の位置関係を簡明に示すため、図９中において洗浄廃水貯槽１０４と洗浄廃水通路１０３とが並ぶ方向（図９中の位置関係では左右方向）に関して、洗浄廃水貯槽１０４が位置する側を「左」といい、洗浄廃水通路１０３が位置する側を「右」ということにする。
【００７６】  さらに、洗浄廃水蒸発装置１０１には洗浄廃水貯槽１０４に対して、左右方向と垂直な方向に適度に離間して、砂を収容する容器状の砂収容部１０５が配設されている。本実施形態では、このような砂として細砂（粒径が０．０７５〜０．２５ｍｍの砂）を用いている。なお、以下では、キレート剤回収部１９における施設ないしは装置の位置関係を簡明に示すため、洗浄廃水貯槽１０４と砂収容部１０５とが並ぶ方向（左右方向と垂直な方向）に関して、洗浄廃水貯槽１０４が位置する側を「前」といい、砂収容部１０５が位置する側を「後」ということにする。
【００７７】  砂収容部１０５は、前端壁１０６と後端壁１０７と左側壁１０８と右側壁１０９と底壁１１０とを有し、左右方向の長さが比較的短く、前後方向の長さが比較的長い長方形の平面形状を有し、適量の水蒸発用砂を収容することができる深さを有する、地上に設置され又は地中に埋設されたコンクリート製の容器である。砂収容部１０５の左側には側溝１１１が設けられ、この側溝１１１は、砂収容部１０５の左側壁１０８の外面（左側の表面）に隣接して配設されている。側溝１１１はコンクリート製であり、砂収容部１０５と一体形成されている。
【００７８】  さらに、洗浄廃水蒸発装置１０１には、洗浄廃水貯槽１０４に貯留されている洗浄廃水を側溝１１１に供給する洗浄廃水供給装置１１２と、側溝１１１内の余剰の洗浄廃水を洗浄廃水貯槽１０４に還流させる洗浄廃水還流路１１３と、側溝１１１内の洗浄廃水の水位を、予め設定された砂収容部１０５内の砂浸漬上端位置に保持する水位保持装置１１４とを有している。ここで、砂浸漬上端位置は、該砂浸漬上端位置と砂収容部１０５の内部空間に収容されている水蒸発用砂の上面の位置との間に位置する水蒸発用砂が毛管水帯（飽和水分状態の砂層）を形成するように設定されている。
【００７９】  以下、洗浄廃水蒸発装置１０１の具体的な構成及び機能を説明する。水蒸発用砂を収容するための砂収容部１０５は、コンクリートで作成され、その上端部近傍部が大気中に露出するようにして地面１２０に埋設されている。砂収容部１０５は、平面視では左右方向の長さが比較的短く（例えば２０〜５０ｍ）、前後方向の長さが比較的長い（例えば１００〜２００ｍ）長方形の形状を有し、その深さが適量の水蒸発用砂を収容することができるように設定された（例えば０．８〜１．０ｍ）、前端壁１０６と後端壁１０７と左側壁１０８と右側壁１０９と底壁１１０とを有する箱状の容器である。なお、砂収容部１０５の左右方向及び前後方向の長さは、該砂収容部１０５で蒸発させる洗浄廃水の量等に応じて好ましく設定される。砂収容部１０５に収容する水蒸発用砂としては、砂すすぎ部１７から排出された砂（細砂）が用いられる。
【００８０】  底壁１１０の上面には、前後方向に所定の間隔を隔てて左右方向に平行に伸び、所定の深さ（例えば１０〜１５ｃｍ）を有する複数の底溝１２１が設けられている。これらの底溝１２１は、それぞれ、左側壁１０８に形成された連通孔１２２を介して側溝１１１の内部空間と連通している。つまり、側溝１１１の内部空間（下部空間）と砂収容部１０５の内部空間（下部空間）は、これらの底部近傍で、連通孔１２２と底溝１２１とを介して互いに連通している。
【００８１】  そして、前後方向に関してこれらの底溝１２１間に位置する複数の凸部１２３の上には、洗浄廃水は通過させるが水蒸発用砂は通過させない多孔板１２４が配設されている。ここで、多孔板１２４は単一の板状部材ではなく、製作及び運搬に適した寸法の多数の多孔板（例えば、左右１〜２ｍ、前後２〜５ｍ、厚さ５〜１０ｍｍの多孔板）で構成されている。そして、多孔板１２４の上に、所定の厚さ（例えば、５０〜８０ｃｍ）の砂層１２５が形成されている。また、砂収容部１０５の上方に、フレーム構造１３６によって支持され砂収容部１０５への雨水の降下を阻止する屋根１３７が設けられている。
【００８２】  かくして、側溝１１１に洗浄廃水が導入されたときには、この洗浄廃水が連通孔１２２と底溝１２１とを介して砂収容部１０５内に流入し、砂粒子の間隙に入る。その結果、砂層１２５は、側溝１１１内の洗浄廃水の水位と実質的に同一の高さの位置Ｌまで完全に洗浄廃水に浸漬され、各砂粒子の間隙には空気は存在せず完全に洗浄廃水で満たされ、洗浄廃水による浮力が各砂粒子に作用する砂浸漬状態となる。以下では、このような洗浄廃水に完全に浸漬された砂層１２５の上端位置を「砂浸漬上端位置Ｌ」ということにする。
【００８３】  また、砂浸漬上端位置Ｌより上側には、毛細管現象により洗浄廃水が砂層１２５内に吸い上げられ、砂粒子の間隙の大部分は洗浄廃水で満たされるが、多少は空気も存在する毛管水帯（ないしは飽和毛管水帯）、すなわち実質的に飽和水分状態の砂層１２５が形成される。このような毛管水帯では、砂粒子間から大気中への洗浄廃水の蒸発量は非常に大きくなり、例えば池の水面からの蒸発量（０．５〜１．０ｍ３／ｍ２・年）に比べて、３〜５倍であるものと推定される。
【００８４】  毛管水帯ないしは飽和毛管水帯の高さないしは厚さは、水蒸発用砂の粒径が小さいほど大きくなる。例えば、非特許文献１には、粒径が０．０２ｍｍの砂の毛管水帯の高さは１８０ｃｍであり、粒径が０．２ｍｍの砂の毛管水帯の高さは２１ｃｍであるとの記載がある。また、非特許文献２には、粒径が０．１ｍｍのガラスビーズの毛管水帯の高さは約５５ｃｍであるとの記載がある。
【００８５】  このような事実に鑑みれば、砂収容部１０５内に収容する水蒸発用砂として細砂（粒径０．０７５〜０．２５ｍｍ）を用いている本実施形態では、毛管水帯の高さは、０．２〜０．４ｍ程度であるものと推定される。したがって、砂浸漬上端位置Ｌは、例えば砂層１２５の上面から下方に２０〜４０ｃｍの範囲の位置に設定するのが好ましい。なお、砂収容部１０５内の砂層１２５の上面近傍部分（例えば、砂層上面から下方に２〜３ｃｍ）の部位では、砂粒子の間隙には大量の空気が存在する一方、砂粒子の表面が洗浄廃水の膜で覆われている皮膜水帯（不飽和水分状態の砂層）が形成されるものと推定される。
【００８６】  なお、本発明において、砂収容部１０５で用いる水蒸発用砂は細砂に限定されるものではなく、細砂とは粒径が異なる砂を用いてもよいのはもちろんである。この場合は、その粒径に対応する毛管水帯の高さを推定し、これに基づいて砂浸漬上端位置Ｌを設定すればよい。例えば中砂（粒径０．２５〜０．８５ｍｍ）を用いる場合は、砂浸漬上端位置Ｌを、例えば砂層１２５の上面から下方に１０〜２０ｃｍの範囲の位置に設定してもよい。
【００８７】  側溝１１１は、砂収容部１０５と一体形成されたコンクリート製の水路であり、側溝１１１の底壁は砂収容部１０５の底壁１１０（底溝１２１の底部）と同一の高さの位置にある。また、側溝１１１の上端部は、砂収容部１０５の左側壁１０８の上端部と同一の高さの位置にある。側溝１１１の幅（左右方向の寸法）は、例えば０．５〜１ｍ程度であるのが好ましい。
【００８８】  水位保持装置１１４は、側溝１１１と連通する一方洗浄廃水還流路１１３に接続された水槽１３０と、該水槽１３０と洗浄廃水還流路１１３との間に配設され水槽１３０内の洗浄廃水を洗浄廃水還流路１１３に溢流させて水槽１３０及び側溝１１１の水位を一定値に保持する堰１３１とを有している。ここで、水槽１３０は、地面１２０に設置され上部が開かれたコンクリート製の容器であり、その上端は側溝１１１の上端と同一の高さの位置にある。そして、水槽１３０の底部は、側溝１１１の底部より適度に低い位置（例えば、０．５〜１．５ｍ低い位置）にある。水槽１３０と側溝１１１とは互いに接続されて連通し、これらに収容されている洗浄廃水の水位は互いに等しくなっている。なお、水槽１３０の平面形状は矩形であるのが好ましく、その水面積は例えば２０〜５０ｍ２程度であるのが好ましい。
【００８９】  堰１３１は、水槽１３０及び側溝１１１の洗浄廃水の水位を一定に維持するためのものであるが、この水位は堰１３１の溢流高さを変えることにより、自在に変更することができる。そして、堰１３１の溢流高さは、水槽１３０及び側溝１１１の水位が所定の砂浸漬上端位置Ｌと一致するように好ましく設定される。なお、水槽１３０から堰１３１を介して洗浄廃水還流路１１３に溢流した洗浄廃水は、洗浄廃水貯１０４に還流する。
【００９０】  洗浄廃水供給装置１１２は、洗浄廃水貯槽１０４内の洗浄廃水を水槽１３０に連続的に供給するための洗浄廃水供給ポンプ１３２及び洗浄廃水供給管１３３を備えている。ここで、洗浄廃水供給ポンプ１３２は、洗浄廃水貯槽１０４内に貯留されている洗浄廃水を、砂収容部１０５における洗浄廃水の蒸発量より十分に大きい流量（例えば、１０〜２０倍）で水槽１３０に供給する。したがって、水槽１３０及び側溝１１１の水位は、常に、予め設定された砂浸漬上端位置Ｌに維持される。
【００９１】  以下、キレート剤を含む洗浄廃水を、キレート剤回収部１９ないしは洗浄廃水蒸発装置１０１により処理する方法を具体的に説明する。砂すすぎ部１７の洗浄廃水受槽８３（図７参照）及び礫すすぎ部１８の洗浄廃水受槽９３（図８参照）から排出されたキレート剤を含む洗浄廃水は、大気中に自然に蒸発（気化）する水分を除いて、洗浄廃水通路１０３を介して洗浄廃水貯槽１０４に流入し、貯留される
【００９２】  洗浄廃水貯槽１０４内に貯留された洗浄廃水は、洗浄廃水供給ポンプ１３２により、洗浄廃水供給管１３３を介して水槽１３０に連続的に供給される。前記のとおり、洗浄廃水供給ポンプ１３２は、砂収容部１０５内の砂層１２５における洗浄廃水の蒸発量より十分に大きい流量で側溝１１１に洗浄廃水を供給するので、水槽１３０及び側溝１１１の水位は、堰１３１の溢流高さに対応する一定の位置、すなわち予め設定された砂浸漬上端位置Ｌに維持される。なお、余剰の洗浄廃水は堰１３１を前方に溢流し、洗浄廃水還流路１１３を介して洗浄廃水貯槽１０４に還流する。
【００９３】  このように、側溝１１１の水位が砂浸漬上端位置Ｌに維持されるので、側溝１１１の内部空間と連通している砂収容部１０５の内部空間の水位も砂浸漬上端位置Ｌに維持される。これに伴って、砂浸漬上端位置Ｌの上側の砂層１２５に毛管水帯（飽和水分状態の砂層）が形成される。前記のとおり、本実施形態では細砂を用いている一方、砂浸漬上端位置Ｌを砂層１２５の上面から下方に２０〜４０ｃｍの範囲の位置に設定するので、皮膜水帯が形成されると推定される砂層１２５の上面近傍部（砂層上面から下方に２〜３ｃｍの砂層）を除けば、砂浸漬上端位置Ｌの上側に毛管水帯、すなわち飽和水分状態（例えば、含水比３０〜３５％）の砂層１２５が形成される。
【００９４】  そして、砂浸漬上端位置Ｌの上側の砂層１２５中に保持された洗浄廃水は、大気中に蒸発（気化）する。かくして、洗浄廃水貯槽１０４に流入する洗浄廃水は、すべて砂層１２５から大気中に蒸発する。その際、洗浄廃水に含まれていたキレート剤は、砂層１２５内に残留する。したがって、洗浄廃水に含まれていたキレート剤は外部に排出されることなく、確実に回収される。なお、洗浄廃水を砂層１２５から蒸発させるために必要とされる砂収容部１０５の面積ないしは寸法は、後で説明する。
【００９５】  このような洗浄廃水の蒸発処理を繰り返し実施すると、砂収容部１０５内の砂層１２５にはキレート剤が次第に蓄積されてゆく。そこで、所定の期間が経過するごとに（例えば２〜６か月ごとに）、砂収容部１０５内の所定の領域ないしは区画（例えば、１００〜２００ｍ２の領域）の水蒸発用砂を除去して砂洗浄部１４に導入し、キレート剤を回収する。そして、砂収容部１０５の水蒸発用砂が除去された区画ないしは領域に、砂すすぎ部１７で得られた砂から篩分された細砂を導入する。すなわち、砂収容部１０５内の所定の区画ないしは領域のキレート剤を含む水蒸発用砂を、砂すすぎ部１７で得られた砂から篩分されたキレート剤を含まない細砂と交換する。よって、土壌浄化システムＳから外部へのキレート剤の逸失を防止又は低減することができる。また、砂すすぎ部１７から出るキレート剤を含まない砂の一部を、砂収容部１０５に収容する水蒸発用砂として用いるので、砂収容部１０５で用いる水蒸発用砂を容易に調達することができる。
【００９６】  以下、洗浄廃水を砂層１２５から蒸発させるために必要とされる洗浄廃水貯槽１０４及び砂収容部１０５の仕様（表面積、寸法等）の一例を説明する。例えば、土壌浄化システムＳは、１時間あたり１００トンの汚染土壌（水分を含む）を浄化し、この汚染土壌は、２５トンの礫（乾燥基準）と、３０トンの砂（乾燥基準）と、２５トンの土（乾燥基準）と、２０トンの水とを含むものとする（含水比２５％）。そして、この土壌浄化システムＳを、１日８時間使用して年間２５０日稼働させる場合は、洗浄廃水貯槽１０４及び砂収容部１０５の仕様を、例えば下記のように設定することができる。なお、ここで説明する仕様は、あくまでも一例であり、土壌処理システムＳの土壌処理量、あるいは稼動時間又は稼働日数がこれらと異なる場合でも、同様の手法で洗浄廃水貯槽１０４及び砂収容部１０５の仕様ないしは寸法を設定することができるのはもちろんである。
【００９７】＜洗浄廃水貯槽１０４の仕様＞
洗浄廃水貯槽１０４の仕様は、例えば下記のように設定される。
・直方体状貯槽（左右寸法：１５ｍ、前後寸法：２５ｍ、深さ：３ｍ）
・表面積    ３７５ｍ２
・最大貯水量  約１０００トン
【００９８】＜砂収容部１０５の仕様＞
砂収容部１０５の仕様は、例えば下記のように設定される。
・直方体状（左右寸法：５０ｍ、前後寸法：１００ｍ、深さ：０．８ｍ）
・上面面積  ５０００ｍ２
・砂収容量  約２５００ｍ３
【００９９】＜砂すすぎ部１７からの洗浄廃水の排出量＞
砂洗浄部１４のベルトプレス装置１４Ｃから排出される砂（乾燥基準で３０トン／ｈｒ）のキレート洗浄液含有比を１０％とし、砂すすぎ部１７におけるすすぎ水の使用量を、砂に含まれ又は付着しているキレート洗浄液の２．０倍に設定すれば、砂すすぎ部１７からのキレート剤を含む洗浄廃水の排出量は、１２０００トン／年となる。
３０トン／ｈｒ×０．１×８ｈｒ×２５０日×２．０＝１２０００トン／年
【０１００】＜礫すすぎ部１８からの洗浄廃水の排出量＞
礫洗浄部１５から排出される礫（乾燥基準で２５トン／ｈｒ）のキレート洗浄液含有比を５％とし、礫すすぎ部１８におけるすすぎ水の使用量を、礫に含まれ又は付着しているキレート洗浄液の１．２倍とすれば、礫すすぎ部１８からのキレート剤を含む洗浄廃水の排出量は、３０００トン／年となる。
２５トン／ｈｒ×０．０５×８ｈｒ×２５０日×１．２＝３０００トン／年
【０１０１】＜洗浄廃水貯槽１０４での水蒸発量＞
一般に、湖沼や溜池などにおける水面からの水の蒸発量は、水面１ｍ２あたり年間０．５〜１．０トンであることが知られている。したがって、洗浄廃水貯槽１０４（表面積３７５ｍ２）からは、少なくとも年間１８７トンの水が蒸発するものと推定される。
０．５トン／ｍ２・年×３７５ｍ２＝１８７トン／年
前記のとおり、洗浄廃水貯槽１０４の最大貯水容量は約１０００トンであるが、これは砂すすぎ部１７及び礫すすぎ部１８からの洗浄廃水の排出量（１５０００トン／年、すなわち２５０日稼働で６０トン／日）の約１７日分に相当する。他方、洗浄廃水貯槽１０４内に貯留されている洗浄廃水は、日々砂収容部１０５で処理されてゆくので、洗浄廃水貯槽１０４は、洗浄廃水を溢流させることなく十分な余裕をもって貯留することができる。
【０１０２】＜砂層１２５における水蒸発量＞
例えば非特許文献３の開示内容（研究結果）に鑑みれば、砂収容部１０５内の砂層１２５における水の蒸発量は、以下で説明するように３．１５トン／ｍ２・年であるものと推算される。すなわち、非特許文３には、温度が１４．２℃であり、相対湿度が５９％であり、空気の流速が２５０ｃｍ／秒であるときにおける、含水比が３２．１％（飽和水分状態）の土壌からの水の蒸発速度は１１．３×１０−６ｇ／ｃｍ２・秒であると開示されている。また、温度が１４．８℃であり、相対湿度が５７％であり、空気の流速が１７０ｃｍ／秒であるときにおける、含水比が３２．９％（飽和水分状態）の土壌からの水の蒸発速度は７．９×１０−６ｇ／ｃｍ２・秒であると開示されている。
【０１０３】  このような非特許文献３の開示事項に鑑みれば、日本における平均的な気候状態を、温度１５℃、相対湿度６０％、風速２ｍ／秒程度と想定したときには、砂収容部１０５内の飽和水分状態にある砂層１２５からの平均的な水の蒸発量は、おおむね１０．０×１０−６ｇ／ｃｍ２・秒であるものと推定される。この蒸発量は、実用的な単位に換算すれば、３．１５トン／ｍ２・年となる。
１０．０×１０−６ｇ／ｃｍ２・秒
＝１０．０×１０−６×１０−６×１０４トン／ｍ２・秒＝１．０×１０−７トン／ｍ２・秒
＝１．０×１０−７×３６００×２４×３６５トン／ｍ２・年＝３．１５トン／ｍ２・年
したがって、砂収容部１０５内の砂層１２５（５０００ｍ２）からは年間１５７５０トンの水が蒸発する。
３．１５トン／ｍ２・年×５０００ｍ２＝１５７５０トン／年
【０１０４】＜洗浄廃水蒸発装置１０１における水の収支＞
前記のとおり、砂すすぎ部１７からの洗浄廃水の排出量は、年間１２０００トンと推定される。また、礫すすぎ部１８からの洗浄廃水の排出量は、年間３０００トンと推定される。他方、洗浄廃水貯槽１０４では少なくとも年間１８７トンの水を蒸発させることができ、砂収容部１０５では年間１５７５０トンの水を蒸発させることができる。したがって、洗浄廃水蒸発装置１０１では、年間１５９３７トンの水を蒸発させることができるものと推定される。このように、洗浄廃水蒸発装置１０１では、１年間で全体的には、砂すすぎ部１７及び礫すすぎ部１８から排出される洗浄廃水の量（年間１５０００トン）より多量の洗浄廃水を蒸発させることができるので、基本的には、洗浄廃水をすべて蒸発させて処理することができることになる。しかしながら、例えば冬季あるいは梅雨の時期には洗浄廃水の蒸発量が少なくなるので、前記の具体例における砂収容部１０５の前後方向の寸法（１００ｍ）又は左右方向の寸法（５０ｍ）を、１０〜２０％程度長くするのが好ましい。
【０１０５】  以上、本発明に係る汚染土壌浄化システムＳないしは汚染土壌浄化方法によれば、土壌浄化システムＳ内の一連の流通系統を循環する大量の洗浄水にキレート剤を添加せず、液体サイクロン７から排出される砂及びトロンメル６から排出される礫をキレート洗浄液で洗浄するようにしているので、土壌浄化システムＳ内に保留するキレート剤の量を大幅に低減することができる。そして、キレート洗浄液で洗浄された砂及び礫を、それぞれ、砂すすぎ部１７及び礫すすぎ部１８においてすすぎ水で洗浄するので、キレート剤を含まない再利用に適した砂及び礫を得ることができる。また、砂すすぎ部１７及び礫すすぎ部１８から排出される洗浄廃水中のキレート剤が、キレート剤回収部１９によって砂洗浄部１４に戻されるので、キレート剤の使用量を大幅に低減することができる。
【０１０６】  さらに、ベルトプレス装置１４Ｃで加圧空気の供給により、キレート洗浄液で湿潤した砂のキレート洗浄液含有比が低下させられるので、砂すすぎ部１７におけるすすぎ水の使用量、すなわち蒸発させるべき洗浄廃水の量を低減することができ、砂収容部１０５の敷地面積を低減することができる。
【符号の説明】
【０１０７】  Ｓ  土壌浄化システム、１  土壌分級部、２  砂・礫浄化部、３  投入ホッパ、４  混合器、５  ミルブレーカ、６  トロンメル、７  液体サイクロン、８  ＰＨ調整槽、９  凝集槽、１０  シックナ、１１  洗浄水貯槽、１２  中間タンク、１３  フィルタプレス、１４  砂洗浄部、１４Ａ  混合攪拌器、１４Ｂ  振動篩、１４Ｃ  ベルトプレス装置、１５  キレート剤再生部、１６  砂すすぎ部、１７  キレート剤回収部、２０  本体部、２１  邪魔板、２２  攪拌機、２３  モータ、２４  金網、２５  ケーシング、２６  管路、２７  洗浄液貯槽、２８  下側ベルト機構、２９  上側ベルト機構、３０  下側駆動ローラ、３１  下側従動ローラ、３２  無端ベルト、３３  上側駆動ローラ、３４  上側従動ローラ、３５  無端ベルト、３６  キレート洗浄液受槽、３７  排液管、３８  加圧室、３９  空気供給管、４０  空気ポンプ（ブロワ）、４１  キレート洗浄液槽、４３  礫搬送装置、４４  礫容器、４５  レール、４６  走行具、４７  ハンガー、４８  牽引チェーン、５１  充填塔、５２  中間貯槽、５３  再生キレート洗浄液貯槽、５４  酸液貯槽、５５  水貯槽、５６  ポンプ、５７〜６０  管路、６１  ポンプ、６２  管路、６３  ポンプ、６４  管路、６５  管路、６６  ポンプ、６７  管路、６８  管路、７１〜７８  バルブ、８０  ベルトコンベア、８１  砂供給装置、８２  すすぎ水散布装置、８３  洗浄廃水受槽、８４  駆動ローラ、８４ａ  シャフト、８５  従動ローラ、８５ａ  シャフト、８６  搬送ベルト、８７  支持ローラ、８８  案内板、９０  ベルトコンベア、９１  礫供給装置、９２  すすぎ水散布装置、９３  洗浄廃水受槽、９４  駆動ローラ、９４ａ  シャフト、９５  従動ローラ、９５ａ  シャフト、９６  搬送ベルト、９７  支持ローラ、９８  案内板、１０１  洗浄廃水蒸発装置、１０３  洗浄廃水通路、１０４  洗浄廃水貯槽、１０５  砂収容部、１０６  前端壁、１０７  後端壁、１０８  左側壁、１０９  右側壁、１１０  底壁、１１１  側溝、１１２  洗浄廃水供給装置、１１３  洗浄廃水還流路、１１４  水位保持装置、１２０  地面、１２１  底溝、１２２  連通孔、１２３  凸部、１２４  多孔板、１２５  砂層、１３０  水槽、１３１  堰、１３２  洗浄廃水供給ポンプ、１３３  洗浄廃水供給管、１２６  フレーム構造、１３７  屋根。
【図１】
2018176152.tif 000003
【図２】
2018176152.tif 000004
【図３】
2018176152.tif 000005
【図４】
2018176152.tif 000006
【図５】
2018176152.tif 000007
【図６】
2018176152.tif 000008
【図７】
2018176152.tif 000009
【図８】
2018176152.tif 000010
【図９】
2018176152.tif 000011
【図１０】
2018176152.tif 000012
【図１１】
2018176152.tif 000013